(57)【要約】【課題】本考案は、コンセント本体にカバーを容易に接続可能であって、カバーの開閉を容易に行うことのできる、カバー付き多方向コンセントを提供することを課題とする。【解決手段】カバー付き多方向コンセントは、水平に複数の異なる方向に給電部が設けられたコンセント本体と、給電部に被せられるカバーと、コンセント本体に接続されたケーブルと、ケーブルの一端に接続されたプラグとからなり、コンセント本体の側面に、挿入孔が開設された挿入部が設けられ、カバーの側面に接続部が設けられ、接続部の端部にブロックが設けられ、接続部が挿入孔に挿入され、コンセント本体とカバーとが接続されることによる。【選択図】図１
0003121508.tif 000002
【実用新案登録請求の範囲】
【請求項１】
水平に複数の異なる方向に給電部が設けられたコンセント本体と、該給電部に被せられるカバーと、該コンセント本体に接続されたケーブルと、該ケーブルの一端に接続されたプラグとからなる、カバー付き多方向コンセントであって、
前記コンセント本体の側面に、挿入孔が開設された挿入部が設けられ、
前記カバーの側面に、接続部が設けられ、
前記接続部の端部に、ブロックが設けられ、
前記接続部が前記挿入孔に挿入され、前記コンセント本体と前記カバーとが接続されることを特徴とする、カバー付き多方向コンセント。
【請求項２】
前記挿入部の上面が、前記コンセント本体の上面と平行になるよう形成されたことを特徴とする、請求項１に記載のカバー付き多方向コンセント。
【請求項３】
前記ブロックがテーパー状であり、ブロック頂部の面積が前記挿入孔の開口部の面積よりも小さく、ブロック底部の断面積が前記挿入孔の開口部の面積よりも大きいことを特徴とする、請求項１又は２に記載のカバー付き多方向コンセント。
【請求項４】
前記接続部に小幅部が設けられることを特徴とする、請求項１〜３の何れか一に記載のカバー付き多方向コンセント。
【請求項５】
前記カバー側面の接続部と対になる位置に、押板が設けられることを特徴とする、請求項１〜４の何れか一に記載のカバー付き多方向コンセント。
【請求項６】
前記カバーに押し込み部が形成され、
前記給電部に縁部が形成され、
前記押し込み部の外径が、前記縁部の内径よりも大きいことを特徴とする、請求項１〜５の何れか一に記載のカバー付き多方向コンセント。
【考案の詳細な説明】
【技術分野】
【０００１】
本考案はカバー付き多方向コンセントに関し、特にカバーの接続部の端部に設けられたブロック部を、コンセント側面に形成された挿入孔に挿入し、カバーとコンセントを接続できるカバー付き多方向コンセントに関する。
【背景技術】
【０００２】
従来、複数口を有するコンセントは、ケーブルに長方形のケースが連接され、ケースの片面又は両面に複数の給電部が一列に配置されているが、プラグをケースに接続するのが困難であった。
【０００３】
上記の問題を解決するため、台湾特許第575982号公報（特許文献１）及び台湾特許第576570号公報（特許文献２）には、多方向に給電部を備えたコンセントが開示されている。これらは、射出成型により一体的に成型されたものであり、三方向に給電部を有する。
【０００４】
このような多方向コンセントは、各給電部が異なる方向を向いており、埃や雨などの異物がコンセント内部に侵入するのを防止するためのカバーを設ける必要があった。
【０００５】
台湾特許第575982号公報には、カバーが環状の取付部を有し、取付部とコンセント本体に設けられた取付溝と嵌め合わせされるコンセントが開示されている。ここでは、カバーをコンセント本体の取付溝の大きさに合わせて成型する必要があり、また、環状の取付部を取付溝に嵌め合わせることは困難であった。さらに、嵌め合わせる際に取付部を破損することが多く、また長期間の使用によって取付部が磨耗し断裂することもあった。
【０００６】
台湾特許第576570号公報では、カバーから延設された接続部の端部が、リベット又はネジ等の締付具により、コンセント本体の側面に固定される。このような構造により、上記のような取付部が必要なくなるが、取付部とコンセント本体の連接部分が小さく、リベット又はネジ等の締付具により固定が困難であり、コンセントの作業工程が増え、コストが向上する。
【特許文献１】台湾特許第575982号公報
【特許文献２】台湾特許第576570号公報
【考案の開示】
【考案が解決しようとする課題】
【０００７】
本考案の目的は、コンセント本体にカバーを容易に接続可能であって、カバーの開閉を容易に行うことのできる、カバー付き多方向コンセントを提供することである。
【課題を解決するための手段】
【０００８】
本考案者は、鋭意研究を重ねた結果、コンセント本体に挿入部を設け、カバーにブロックを有する接続部を設けることによって、上記課題を解決するカバー付き多方向コンセントを完成した。
【０００９】
すなわち、本考案のカバー付き多方向コンセントは、以下よりなる。
１．水平に複数の異なる方向に給電部が設けられたコンセント本体と、該給電部に被せられるカバーと、該コンセント本体に接続されたケーブルと、該ケーブルの一端に接続されたプラグとからなる、カバー付き多方向コンセントであって、
前記コンセント本体の側面に、挿入孔が開設された挿入部が設けられ、
前記カバーの側面に、接続部が設けられ、
前記接続部の端部に、ブロックが設けられ、
前記接続部が前記挿入孔に挿入され、前記コンセント本体と前記カバーとが接続されることを特徴とする、カバー付き多方向コンセント。
２．前記挿入部の上面が、前記コンセント本体の上面と平行になるよう形成されたことを特徴とする、前項１に記載のカバー付き多方向コンセント。
３．前記ブロックがテーパー状であり、ブロック頂部の面積が前記挿入孔の開口部の面積よりも小さく、ブロック底部の断面積が前記挿入孔の開口部の面積よりも大きいことを特徴とする、前項１又は２に記載のカバー付き多方向コンセント。
４．前記接続部に小幅部が設けられることを特徴とする、前項１〜３の何れか一に記載のカバー付き多方向コンセント。
５．前記カバー側面の接続部と対になる位置に、押板が設けられることを特徴とする、前項１〜４の何れか一に記載のカバー付き多方向コンセント。
６．前記カバーに押し込み部が形成され、
前記給電部に縁部が形成され、
前記押し込み部の外径が、前記縁部の内径よりも大きいことを特徴とする、前項１〜５の何れか一に記載のカバー付き多方向コンセント。
【考案の効果】
【００１０】
本考案によれば、カバーをコンセント本体の側面に容易に取り付けることができ、カバーの開閉を容易に行うことができ、コンセント本体の給電部の保護を効果的に行うことができる。
【考案を実施するための最良の形態】
【００１１】
以下に、本考案の一実施形態を示し、具体的に説明するが、本考案はこれらに限定されるものではない。
【００１２】
図１に示すように、本考案のカバー付き多方向コンセントは、一定の長さを有するケーブル１０を有し、ケーブル１０の一端にはプラグ２０が接続され、ケーブル１０の他の一端にはコンセント本体３０が接続される。ここで、コンセント本体３０には、水平に３つの異なる方向に給電部３１が設けられる。
【００１３】
また、各給電部３１にはプラグを挿入するための差込口３２が設けられ、これらはカバー３３によって覆われる。コンセント使用時には、カバー３３が給電部３１より外され、プラグ４０を差込口３２に挿入することができる。
【００１４】
図３に示すように、コンセント本体３０の給電部３１の側面には、挿入部３４が設けられ、挿入部３４の上面は、コンセント本体３０の上面と平行となるよう形成される。挿入部３４には挿入孔３４１が開設される。
【００１５】
図２に示すように、カバー３３には押し込み部３３１が形成される。押し込み部３３１の外径は、給電部３１に形成される縁部３５の内径よりも少し大きく、カバー３３を給電部３１に嵌め合わせた際に、カバー３３が給電部３１を密閉することができる。
【００１６】
カバー３３の側面には接続部３３２が設けられ、接続部３３２の端部にはブロック３３３が設けられる。ブロック３３３はテーパー状であり、その頂部の面積はコンセント本体３１の挿入孔３４１の開口部の面積よりも小さく、ブロック３３３の底部の断面積は、挿入孔３４１の開口部の面積よりも大きくされる。また、接続部３３２には小幅部３３４が設けられ、コンセント本体３１の挿入部３４と、接続部３３２の小幅部３３４が嵌め合わされ、コンセント本体３１と接続部３３２とが接続される。図３及び４に示すように、小幅部３３４の断面積はコンセント本体３１の挿入孔３４１の開口部の面積よりも小さいので、小幅部３３４と挿入孔３４１とが嵌め合わされた際に、小幅部３３４は挿入孔３４１内で移動可能に収容される。
【００１７】
図２に示すように、カバー３３側面の接続部３３２と対になる位置には、押板３３５が設けられる。押板３３５を押し上げることにより、カバー３３がコンセント本体３０より外れる。
【００１８】
コンセント本体３０とカバー３３とを接続する際には、カバー３３の接続部３３２のブロック３３３を、コンセント本体３０の挿入部３４の挿入孔３４１に押入れる。ブロック３３３の底面が挿入孔３４１を通過すると、小幅部３３４が挿入部３４内に移動可能に収められる。ブロック３３３はテーパー状であるので、挿入孔３４１を容易に通過することができる。
【００１９】
また、本考案のカバー付き多方向コンセントは、２つ又は４つ以上の給電部を有するコンセントであってもよい。
【００２０】
さらに、本考案のカバー付き多方向コンセントは、給電部に縁３５を設けず、カバーを給電部の外側に被せる外蓋式とすることもできる。
【産業上の利用可能性】
【００２１】
本考案により、カバーの取り付けが容易であって、カバーの開閉が容易である、カバー付き多方向コンセントを提供可能となる。
【図面の簡単な説明】
【００２２】
【図１】本考案のカバー付き多方向コンセントの斜視図である。
【図２】本考案のカバー付き多方向コンセントのカバーの斜視図である。
【図３】本考案のカバー付き多方向コンセントの部分断面図である。
【図４】図３の４−４線断面図である。
【符号の説明】
【００２３】
１０  ケーブル
２０  プラグ
３０  コンセント本体
３１  給電部
３２  差込口
３３  カバー
３３１  押し込み部
３３２  接続部
３３３  ブロック
３３４  小幅部
３３５  押板
３４  挿入部
３４１  挿入孔
３５  縁部
【図１】
0003121508.tif 000003
【図２】
0003121508.tif 000004
【図３】
0003121508.tif 000005
【図４】
0003121508.tif 000006